(57)【要約】      （修正有）【課題】簡素な構造により、レバー部材をカバー部材に対して着脱可能に構成し、もってノズル部材の洗浄を容易化することができるエアゾール缶用吐出具を提供する。【解決手段】レバー部材４０は、操作レバー４１の前端がヒンジ４２を介して連結されると共に収容凹部Ｒ内に配置されるレバー支持体４３と、該レバー支持体４３の前部に連結し、カバー部材３０に形成された嵌合凹部３６と係合することで収容凹部Ｒ内からのレバー支持体４３の上方へのスライド移動による抜け出しを阻止する一対のＵ字状アーム４４と、該アーム４４間を連結すると共に後方への押圧力の付与にて一対のＵ字状アーム４４と嵌合凹部３６との係合を解除させる操作片４５とを有することを特徴とする。【選択図】図１
2015228105.tif 000002
【特許請求の範囲】
【請求項１】
ノズル部材とカバー部材とレバー部材とを備え、
前記ノズル部材は、エアゾール缶のステムに着脱可能に取り付けられる嵌合筒と、前端から内容物を吐出させるノズルと、前記嵌合筒の上端及び前記ノズルの後端に連結するノズル基体とを有し、
前記カバー部材は、上部、前部及び後部が開放すると共に前記ノズル基体を収容する収容凹部の周面を形成する内周壁と、該内周壁の上端縁に繋がるフランジ状壁と、該フランジ状壁の外周縁から垂下すると共に前記エアゾール缶のマウンティングカップに取り付けられる外周壁とを有し、
前記レバー部材は、押圧力の付与にて前記ノズル部材を押し下げる操作レバーを有すると共に、前記収容凹部に配置される、エアゾール缶用吐出具において、
前記レバー部材は、前記操作レバーの前端がヒンジを介して連結されると共に前記収容凹部内に配置されるレバー支持体と、該レバー支持体の前部に連結し、前記カバー部材に形成された嵌合凹部と係合することで前記収容凹部内からの前記レバー支持体の上方へのスライド移動による抜け出しを阻止する一対のＵ字状アームと、該アーム間を連結すると共に後方への押圧力の付与にて前記一対のＵ字状アームと前記嵌合凹部との係合を解除させる操作片とを有することを特徴とするエアゾール缶用吐出具。
【請求項２】
前記レバー部材は、前記レバー支持体の後部に連結し、前記カバー部材の外周壁の後方に突出する摘み片を有する、請求項１に記載のエアゾール缶用吐出具。
【請求項３】
前記レバー部材は、前記レバー支持体の後部に連結し、前記操作レバーの押し下げを規制する誤操作防止位置と該規制を解除する解除位置の間でヒンジを介して回動可能なストッパを有する、請求項１に記載のエアゾール缶用吐出具。
【発明の詳細な説明】
【技術分野】
【０００１】
本発明は、ノズル部材とカバー部材とレバー部材とを備えるエアゾール缶用吐出具に関し、特に、簡素な構造により、レバー部材をカバー部材に対して着脱可能に構成し、もってノズル部材の洗浄を容易化しようとするものである。
【背景技術】
【０００２】
従来、この種のエアゾール缶用吐出具として、例えば特許文献１に記載されるようなものが知られている。特許文献１では、ノズル部材は、エアゾール缶のステムに着脱可能に取り付けられる嵌合筒と、前端から内容物を吐出させるノズルと、嵌合筒の上端及びノズルの後端に連結するノズル基体とを有している。また、カバー部材は、上部、前部及び後部が開放すると共にノズル基体を収容する収容凹部の周面を形成する内周壁と、該内周壁の上端縁に繋がるフランジ状壁と、該フランジ状壁の外周縁から垂下すると共にエアゾール缶のマウンティングカップに取り付けられる外周壁とを有している。さらに、レバー部材は、押圧力の付与にてノズル部材を押し下げる操作レバーを有すると共に、前記収容凹部に配置されている。
【先行技術文献】
【特許文献】
【０００３】
【特許文献１】特許第３９６４２８５号公報
【発明の概要】
【発明が解決しようとする課題】
【０００４】
しかしながら、特許文献１に記載されるような従来のエアゾール缶用吐出具では、レバー部材は、カバー部材に上方への抜け出し不能に嵌合して収容凹部に配置されるようになっているため、ノズル部材の洗浄に際しては、ノズル部材をカバー部材から取り外して洗浄することができず、ノズル部材の洗浄が必ずしも容易であるとは言い難かった。
【０００５】
本発明は、前記の現状に鑑み開発されたもので、簡素な構造により、レバー部材をカバー部材に対して着脱可能に構成し、もってノズル部材の洗浄を容易化することができるエアゾール缶用吐出具を提供することを目的とする。
【課題を解決するための手段】
【０００６】
すなわち、本発明の要旨構成は以下のとおりである。
１．ノズル部材とカバー部材とレバー部材とを備え、
前記ノズル部材は、エアゾール缶のステムに着脱可能に取り付けられる嵌合筒と、前端から内容物を吐出させるノズルと、前記嵌合筒の上端及び前記ノズルの後端に連結するノズル基体とを有し、
前記カバー部材は、上部、前部及び後部が開放すると共に前記ノズル基体を収容する収容凹部の周面を形成する内周壁と、該内周壁の上端縁に繋がるフランジ状壁と、該フランジ状壁の外周縁から垂下すると共に前記エアゾール缶のマウンティングカップに取り付けられる外周壁とを有し、
前記レバー部材は、押圧力の付与にて前記ノズル部材を押し下げる操作レバーを有すると共に、前記収容凹部に配置される、エアゾール缶用吐出具において、
前記レバー部材は、前記操作レバーの前端がヒンジを介して連結されると共に前記収容凹部内に配置されるレバー支持体と、該レバー支持体の前部に連結し、前記カバー部材に形成された嵌合凹部と係合することで前記収容凹部内からの前記レバー支持体の上方へのスライド移動による抜け出しを阻止する一対のＵ字状アームと、該アーム間を連結すると共に後方への押圧力の付与にて前記一対のＵ字状アームと前記嵌合凹部との係合を解除させる操作片とを有することを特徴とするエアゾール缶用吐出具。
【０００７】
２．前記レバー部材は、前記レバー支持体の後部に連結し、前記カバー部材の外周壁の後方に突出する摘み片を有する、前記１のエアゾール缶用吐出具。
【０００８】
３．前記レバー部材は、前記レバー支持体の後部に連結し、前記操作レバーの押し下げを規制する誤操作防止位置と該規制を解除する解除位置の間でヒンジを介して回動可能なストッパを有する、前記１のエアゾール缶用吐出具。
【発明の効果】
【０００９】
本発明によれば、一対のＵ字状アームをカバー部材に形成された嵌合凹部と係合させてレバー支持体を収容凹部内に配置することで、レバー支持体の上方への抜け出しを阻止しつつ、操作レバーに押圧力を付与してノズル前端から内容物を吐出させることができる一方、ノズル部材の洗浄に際しては、操作片に後方へ押圧力を付与して一対のＵ字状アームと嵌合凹部との係合を解除させることで、レバー支持体を収容凹部内から上方へスライド移動させて取り外すことができるため、ノズル部材の洗浄を容易化することができる。
【００１０】
したがって、本発明によれば、簡素な構造により、レバー部材をカバー部材に対して着脱可能に構成し、もってノズル部材の洗浄を容易化することができるエアゾール缶用吐出具を提供することができる。
【図面の簡単な説明】
【００１１】
【図１】本発明の一実施形態に係るエアゾール缶用吐出具をエアゾール缶に取り付けた状態を表す一部断面側面図である。
【図２】図１のエアゾール缶用吐出具の平面図である。
【図３】図１のエアゾール缶用吐出具をエアゾール缶に取り付けた状態を表す半断面正面図である。
【図４】図１のエアゾール缶用吐出具をエアゾール缶に取り付けた状態を表す背面図である。
【図５】図１のエアゾール缶用吐出具の組み付け要領を表す一部断面側面図である。
【図６】図１のエアゾール缶用吐出具のレバー部材の取り外し要領を表す一部断面側面図である。
【図７】本発明の他の実施形態に係るエアゾール缶用吐出具をエアゾール缶に取り付けた状態を表す一部断面側面図である。
【図８】図７のエアゾール缶用吐出具の平面図である。
【図９】図７のエアゾール缶用吐出具をエアゾール缶に取り付けた状態を表す背面図である。
【図１０】図７のエアゾール缶用吐出具をエアゾール缶に取り付けた状態を表す背面図であって、ストッパを誤操作防止位置に回動させた状態を表す。
【図１１】図７のエアゾール缶用吐出具の組み付け要領を表す一部断面側面図である。
【図１２】図７のエアゾール缶用吐出具のレバー部材の取り外し要領を表す一部断面側面図である。
【発明を実施するための形態】
【００１２】
以下、図１〜図６を参照して、本発明の一実施形態に係るエアゾール缶用吐出具１について詳細に例示説明する。
なお、本明細書において前方とは、ノズル２１の前端２１ａ（吐出口）側であり、後方とは、ノズル２１の軸線に沿って前方とは反対側である。また、側方とは、前方から後方に向ってエアゾール缶用吐出具１を見る際の左右方向である。
【００１３】
図１〜図４に示すように、本実施形態に係るエアゾール缶用吐出具１（以下、吐出具１ともいう）は、ノズル部材２０とカバー部材３０とレバー部材４０とを備え、エアゾール缶５０には、固定盤６０を介して取り付けられるようになっている。吐出具１は、本実施形態では、左右に並列配置された一対のエアゾール缶５０に取り付けられる、２連式エアゾール缶用吐出具１として構成されている。
【００１４】
一対のエアゾール缶５０はいずれも、例えば金属製の有底筒状の容器本体に、例えば金属製のマウンティングカップ５１の外縁を巻き締めして固着したものであり、マウンティングカップ５１から立ち上がるステム５２を有している。
【００１５】
固定盤６０は、マウンティングカップ５１と係合する係止爪６１（図１参照）と、ステム５２を露出させる開口とを備え、一対のエアゾール缶５０のマウンティングカップ５１に取り付けられている。
【００１６】
ノズル部材２０は、前端２１ａに内容物の吐出口を有するノズル２１と、一対のエアゾール缶５０のステム５２にそれぞれ嵌合により着脱可能に取り付けられる一対の嵌合筒２２と、ノズル２１の基端及び一対の嵌合筒２２の上端に連結するノズル基体２３とを有する。ノズル基体２３には、一対の嵌合筒２２を通じてステム５２から流入する内容物を、ノズル２１の基端に導く流路が形成されている。また、ノズル部材２０は、エアゾール缶５０のステム５２から取り外した際に、ノズル基体２３に設けられた係合レバー２４を操作して、ノズル基体２３を、ヒンジ２５を中心に開放させることで、ノズル基体２３内の流路を容易に洗浄できるようになっている。
【００１７】
また、カバー部材３０は、上部、前部及び後部が開放すると共にノズル基体２３を収容する収容凹部Ｒの周面を形成する内周壁３１と、該内周壁３１の下端に繋がりエアゾール缶５０のステム５２を露出させる開口を有する底壁３２と、内周壁３１の上端縁に繋がるフランジ状壁３３と、該フランジ状壁３３の外周縁から垂下すると共にエアゾール缶５０のマウンティングカップ５１に固定盤６０を介して取り付けられる外周壁３４とを有している。カバー部材３０は、外周壁３４の両サイドに設けた嵌合孔３５を、固定盤６０における爪部６２に対し、上方への引き抜け不能に嵌合させることで、固定盤６０に固定されている。
【００１８】
レバー部材４０は、押圧力の付与にてノズル部材２０を押し下げる操作レバー４１を有すると共に、収容凹部Ｒに配置されている。詳細には、レバー部材４０は、操作レバー４１の前端がヒンジ４２を介して連結されると共に収容凹部Ｒ内に配置されるレバー支持体４３と、該レバー支持体４３の前部に連結し、カバー部材３０に形成された嵌合凹部３６と係合することで収容凹部Ｒ内からのレバー支持体４３の上方へのスライド移動による抜け出しを阻止する一対のＵ字状アーム４４と、該アーム４４間を連結すると共に後方への押圧力の付与にて一対のＵ字状アーム４４と嵌合凹部３６との係合を解除させる操作片４５とを有する。ここに、レバー支持体４３は、一対のＵ字状アーム４４と嵌合凹部３６との係合を解除した状態でレバー部材４０を引き上げた際に、カバー部材３０の内周壁３１に案内されてレバー部材４０を上方へスライド移動させるガイド壁４３ａを有している。
【００１９】
また、本実施形態では、レバー部材４０は、レバー支持体４３の後部（ガイド壁４３ａの後部下端）に連結し、カバー部材３０の外周壁３４の後方に突出する摘み片４６を有している。
なお、操作レバー４１は、その下面に形成された突起４７を介してノズル部材２０を押し下げるようになっている。
【００２０】
かかる構成になるエアゾール缶用吐出具１によれば、図５に示すように、カバー部材３０の収容凹部Ｒにノズル部材２０を配置し、次いで、レバー部材４０をカバー部材３０に取り付けることで、吐出具１を組立てることができる。そして、このようにして組立てた吐出具１を、図１に示したように、一対のエアゾール缶５０のマウンティングカップ５１に取り付けられた固定盤６０に取り付けることができる。
【００２１】
この状態では、一対のＵ字状アーム４４をカバー部材３０に形成された嵌合凹部３６と係合させてレバー支持体４３を収容凹部Ｒ内に配置しているため、収容凹部Ｒからのレバー支持体４３の上方への抜け出しが阻止される。したがって、操作レバー４１に押圧力を付与してノズル前端２１ａから内容物を吐出させるに際し、操作レバー４１の支点前方部分が浮き上がることがなく、レバー支持体４３のがたつきの発生を抑制することができる。
【００２２】
また、ノズル部材２０の洗浄に際しては、図６に示すように、操作片４５に後方へ押圧力を付与して一対のＵ字状アーム４４と嵌合凹部３６との係合を解除させることで、レバー部材４０を上方へスライド移動させてカバー部材３０から取り外すことができるため、ノズル部材２０の洗浄を容易化することができる。ここに、レバー部材４０は、上下方向に延在するガイド壁４３ａの後部が、カバー部材３０の上下方向に延在する内周壁３１の後部に当接しているため、操作片４５を後方へ押圧したときにレバー部材４０が傾いてカバー部材３０から外れてしまうことはない。また、レバー部材４０の取り外しに際しては、例えば親指と人差し指で、操作片４５と操作レバー４１の後端とを摘んで、操作片４５を後方へ押圧しつつレバー部材４０を真上に引き抜いてもよいが、本実施形態では、レバー部材４０に、カバー部材３０の外周壁３４の後方に突出する摘み片４６を設けているので、図６中に二点鎖線で示すように、操作片４５と摘み片４６の後端とを摘んで、操作片４５を後方へ押圧しつつレバー部材４０を真上に引き抜くことができ、レバー部材４０の取り外し操作を容易化することができる。
【００２３】
次に、図７〜図１２を参照して、本発明の他の実施形態に係るエアゾール缶用吐出具１００について詳細に例示説明する。
図７〜図９に示すように、本実施形態に係るエアゾール缶用吐出具１００（以下、吐出具１００ともいう）は、レバー部材４０に、摘み片４６に代えて、ストッパ４８が設けられている。ストッパ４８は、レバー支持体４３の後部に連結し、操作レバー４１の押し下げを規制する誤操作防止位置と該規制を解除する解除位置の間でヒンジ４８ａを介して回動可能になっている。
【００２４】
詳細には、ストッパ４８は、ガイド壁４３ａの後壁下端に一体連結して後方に延びる一対の脚部４８ｂと、該一対の脚部４８ｂにヒンジ４８ａを介して一体連結し、側面視略Ｌ字状をなしつつ下方に延び（図７において符号４８ｃと共に示す実線参照）、且つ、背面視略Ｕ字状をなす回動部４８ｃとを有している。また、ストッパ４８は、回動部４８ｃをヒンジ４８ａを介して上方に向けて回動させることにより、回動部４８ｃが、操作レバー４１の上面の一部を覆い、操作レバー４１の押し下げを規制する誤操作防止位置に配置される（図７において符号４８ｃと共に示す一点鎖線、及び図１０参照）ようになっている。ストッパ４８は、本実施形態では、誤操作防止位置において、回動部４８ｃが、カバー部材３０の後側凹部側面に形成された一対の係合突起３７と係合することで、誤操作防止位置に保持されるようになっている。
【００２５】
また、ストッパ４８は、回動部４８ｃをヒンジ４８ａを介して下方に向けて回動させることで、該回動部４８ｃの側面が、カバー部材３０の外周壁３４背面に形成された一対の縦リブ３８の内側面と係合し、操作レバー４１の押し下げの規制を解除した解除位置に保持される（図７において符号４８ｃと共に示す二点鎖線参照）ようになっている。詳細には、解除位置において、回動部４８ｃの側面に形成された突起４８ｄが、一対の縦リブ３８の内側面に形成された突起３８ａと係合するようになっている。
【００２６】
吐出具１００のその他の構成は、前述した実施形態の場合と同様である。
かかる構成になるエアゾール缶用吐出具１００によれば、ストッパ４８によって、操作レバー４１の誤操作を防止できる他、前述した実施形態の場合と同様の効果も得ることができる。すなわち、図１１に示す要領にて、吐出具１００を組み立てることができ、図１２に示す要領にて、レバー部材４０を取り外すことができる。
【００２７】
前述したところは、本発明の一実施形態を示したにすぎず、特許請求の範囲において、種々の変更を加えることができる。例えば、前述したいずれの実施形態においても、カバー部材３０は、固定盤６０を介してエアゾール缶５０に取り付けられるものとして説明したが、必ずしもこのような構成に限られるものではなく、固定盤６０を省略し、カバー部材３０を直接、エアゾール缶５０に取り付けるように構成することも可能である。また、前述したいずれの実施形態においても、吐出具１，１００を２連式エアゾール缶用吐出具１，１００として構成した場合について説明したが、例えば、１本又は２本のステム５２を有する単一のエアゾール缶５０に取り付けるように構成してもよい。
【符号の説明】
【００２８】
１，１００  エアゾール缶用吐出具
２０  ノズル部材
２１  ノズル
２１ａ  ノズル前端
２２  嵌合筒
２３  ノズル基体
２４  係合レバー
２５  ヒンジ
３０  カバー部材
３１  内周壁
３２  底壁
３３  フランジ状壁
３４  外周壁
３５  嵌合孔
３６  嵌合凹部
３７  係合突起
３８  縦リブ
３８ａ  突起
４０  レバー部材
４１  操作レバー
４２  ヒンジ
４３  レバー支持体
４３ａ  ガイド壁
４４  Ｕ字状アーム
４５  操作片
４６  摘み片
４７  突起
４８  ストッパ
４８ａ  ヒンジ
４８ｂ  脚部
４８ｃ  回動部
４８ｄ  突起
５０  エアゾール缶
５１  マウンティングカップ
５２  ステム
６０  固定盤
６１  係止爪
６２  爪部
Ｒ  収容凹部
【図１】
2015228105.tif 000003
【図２】
2015228105.tif 000004
【図３】
2015228105.tif 000005
【図４】
2015228105.tif 000006
【図５】
2015228105.tif 000007
【図６】
2015228105.tif 000008
【図７】
2015228105.tif 000009
【図８】
2015228105.tif 000010
【図９】
2015228105.tif 000011
【図１０】
2015228105.tif 000012
【図１１】
2015228105.tif 000013
【図１２】
2015228105.tif 000014